(57)【要約】【課題】複数のインターフェイスボックスを重層式にすることによって、デスク上の空間を占拠しない重層式インターフェイス装置を提供する。【解決手段】重層式インターフェイス装置は、少なくとも一つのパソコンもしくは類似のシステムに接続する第一インターフェイスボックス１０、そして第一インターフェイスボックスに連結し、その他のインターフェイスボックスを重層する第一フレーム２０を含む。そのうち、第一フレームは、掛け具２１を含み、掛け具は二つの端部があり、第一端部は第一連結部２２によってインターフェイスボックス１０と連結し、第二端部は第二連結部２３が設置されて、その他のフレーム２０と対応する構造である。これらによって、複数個のインターフェイス装置は、それぞれのフレーム２０を相互に組み合わせて支え、各フレームの一端に連結したインターフェイスボックスが順々に重層される。【選択図】　　　　図１
0003096929.tif 000002
【実用新案登録請求の範囲】
【請求項１】
コンピュータと接続する第一インターフェイスボックス、第一インターフェイスボックスに連結してその他のインターフェイスボックスを重層する第一フレームから構成された重層式インターフェイス装置において、
少なくともひとつの掛け具を含み、この掛け具には二つの連結部が成形され、第一連結部はインターフェイスボックスに連結し、第二連結部はその他のフレームと相互に対応して重層構造を形成し、複数個のインターフェイス装置を相互に支え、インターフェイスボックスを順々に重ね合わせる第一フレームから構成されることを特徴とする重層式インターフェイス装置。
【請求項２】
前記フレームの第二連結部は、最上凸を含み、この最上凸内部には納置室を備え、別層のフレームの最上凸と相互に嵌合して定位することを特徴とする請求項１記載の重層式インターフェイス装置。
【請求項３】
前記最上凸は、その表面の予定位置に導入槽が成形され、最上凸の納置室には導く導入レールが設置され、この導入レールに導入槽を入れ、相互にあわせると、第一フレームとその他のフレームが重層することを特徴とする請求項２記載の重層式インターフェイス装置。
【請求項４】
前記フレームの掛け具は、少なくともひとつの欠切口が成形され、インターフェイスボックスの接続コードに連接し、コードが適切に出て外部のコンピュータに接続することを特徴とする請求項１記載の重層式インターフェイス装置。
【考案の詳細な説明】
【０００１】
【考案の属する技術分野】
本考案は、重層式インターフェイス装置に関するもので、複数のインターフェイスボックスを重層式にすることによって、デスク上の空間を占拠しないものである。
【０００２】
【従来の技術】
デジタル情報の技術は絶え間なく進歩しており、多くが画像、音声、通信、ネットワークのサポートにより、アプリケーションや処理を行い、パソコンを周辺及び相互にサポートする商品は増え続けている。デジタルカメラを例にとると、保存メディアによって、撮った画像を保存する。
【０００３】
【考案が解決しようとする課題】
しかしながら、この種の保存フォーマットはそれぞれ異なるため、適する信号転換器を通さなければ、パソコンがロードしたデータを読み取ることができない。信号転換器、例として読み取り機（もしくはシリコンディスクドライブ）は、パソコン設備とコンタクトするルート及びプロトコルを確立するためにはソフトのサポート以外に、ハードインターフェイスとの連結が必要であり、それらにはＵＳＢや１３９４インターフェイス等がある。連結するインターフェイスの種類が異なるため、インターフェイス装置は異なるインターフェイスボックスによって包装し、消費者が選ぶようになっている。そのため一般の消費者は包装されたインターフェイス装置のインターフェイスボックスを購入し、デスクに適当に置くため、デスクの空間が占拠されてしまう。そのため、上述の問題が改善する重層式インターフェイス装置を提供することを課題とする。
【０００４】
【課題を解決するための手段】
上記課題を解決するため、本考案の重層式インターフェイス装置は、少なくとも一つのコンピュータに接続する第一インターフェイスボックス、そして第一インターフェイスボックスに連結し、その他のインターフェイスボックスを重層する第一フレームを含む。そのうち、第一フレームは、掛け具を含み、掛け具は二つの端部があり、第一端部は第一連結部によってインターフェイスボックスと連結し、第二端部は第二連結部が設置されて、その他のフレームと対応する構造である。これらによって、複数個のインターフェイス装置は、それぞれのフレームを相互に組み合わせて支え、各フレームの一端に連結したインターフェイスボックスが順々に重層されることを特徴とするものである。
すなわち、本考案の重層式インターフェイス装置は以下の特徴を有する。
１．コンピュータと接続する第一インターフェイスボックス、第一インターフェイスボックスに連結してその他のインターフェイスボックスを重層する第一フレームから構成された重層式インターフェイス装置において、
少なくともひとつの掛け具を含み、この掛け具には二つの連結部が成形され、第一連結部はインターフェイスボックスに連結し、第二連結部はその他のフレームと相互に対応して重層構造を形成し、複数個のインターフェイス装置を相互に支え、インターフェイスボックスを順々に重ね合わせる第一フレームから構成されることを特徴とする。
２．前記フレームの第二連結部は、最上凸を含み、この最上凸内部には納置室を備え、別層のフレームの最上凸と相互に嵌合して定位することを特徴とする。
３．前記最上凸は、その表面の予定位置に導入槽が成形され、最上凸の納置室には導く導入レールが設置され、この導入レールに導入槽を入れ、相互にあわせると、第一フレームとその他のフレームが重層することを特徴とする。
４．前記フレームの掛け具は、少なくともひとつの欠切口が成形され、インターフェイスボックスの接続コードに連接し、コードが適切に出て外部のコンピュータに接続することを特徴とする。
【０００５】
【考案の実施の形態】
以下、本考案重層式インターフェイス装置の実施例を図面に基づいて説明する。
先ず、図１、２が示すように、本考案は、パソコンもしくはそれに類似したシステム（以下コンピュータという）と接続する第一インターフェイスボックス１０を含む。このインターフェイスボックス１０は、ＵＳＢインターフェイス１０１、もしくは１３９４インターフェイス等を含み、第一インターフェイスボックス１０、及びその他のインターフェイスボックスに重層する第一フレーム２０に連結する。そのうち、この第一フレーム２０は少なくともひとつの掛け具２１を含み、この掛け具２１は二つの連結部２２，２３を備え、第一連結部２２はインターフェイスボックス１０と連結し、第二連結部２３はその他のフレーム３０（図２参照）と相互に対応する構造で重層する。これによって複数のインターフェイス装置は各自のフレームが相互に組み合わさって支え合い、各フレームの一端に連結したインターフェイスボックスは順々に重層する。
【０００６】
上述の中で、第一インターフェイスボックス１０には予定位置に槽１０３が設置され、第一フレーム２０の第一連結部２２に嵌合、または挿入される。フレームの第二連結部２３は最上凸２３１を含み、この最上凸２３１内部には納置室２３２を備え、そこに別のフレーム４０の最上凸４０１を入れて相互に差し込んで定位する。図３，４に示すとおり、最上凸２３１の外表面には導入槽２３３が設置され、最上凸の納置室２３２の導入槽２３３位置には導入レール２３４が設置され、第一フレームの導入レール２３４にその他のフレームの導入槽４０２を滑り入れる。更に第一フレーム２０とその他のフレーム３０を合わせて重層する時の案内となる。
【０００７】
他に、フレーム２０の掛け具２１上には少なくともひとつの欠切口２１１が設置され、インターフェイスボックス１０の接続コード１０２が適切に外部のコンピュータと接続するのに使用される（図２参照）。
【０００８】
本考案の実施例は、本考案を制限するものではなく、簡単な置き換えや、変更などに関しては、すべて本考案の範囲とする。
【０００９】
【考案の効果】
以上説明したように、本考案の重層式インターフェイス装置は、少なくとも一つのコンピュータに接続する第一インターフェイスボックス、そして第一インターフェイスボックスに連結し、その他のインターフェイスボックスを重層する第一フレームを含む。そのうち、第一フレームは、掛け具を含み、掛け具は二つの端部があり、第一端部は第一連結部によってインターフェイスボックスと連結し、第二端部は第二連結部が設置されて、その他のフレームと対応する構造である。これらによって、複数個のインターフェイス装置は、それぞれのフレームを相互に組み合わせて支え、各フレームの一端に連結したインターフェイスボックスが順々に重層されるという特徴をもつ。それにより、同じもしくは異なる複数のインターフェイスボックスが重層式になり、デスクの空間を有効に使用するのに効果的である。
【図面の簡単な説明】
【図１】本考案の主な構造外観図である。
【図２】本考案の重層後の外観図である。
【図３】本考案の重層過程の第一の参考図である。
【図４】本考案の重層過程の第二の参考図である。
【符号の説明】
１０　インターフェイスボックス
１０１　ＵＳＢインターフェイス
１０２　接続コード
１０３　槽
２０　フレーム
２１　掛け具
２１１　欠切口
２２　第一連結部
２３　第二連結部
２３１　最上凸
２３２　納置室
２３３　導入槽
２３４　導入レール
【図１】
0003096929.tif 000003
【図２】
0003096929.tif 000004
【図３】
0003096929.tif 000005
【図４】
0003096929.tif 000006